(57)【要約】    【課題】  目立った痕跡を残すことなく壁面に取付けることができ、しかも重いものを掛けることができるようにした壁掛けフックを提供する。    【解決手段】  壁面と接触されるベース(20)に、被掛け体が掛けられるフック本体(30)を取付ける。ベースの裏面には少なくとも２本の細針(40)を幅方向に間隔をあけかつ２０°〜４５°の範囲内の角度でもって斜め下方に指向して固定する。この細針のベース裏面からの突出部分は０．３ｍｍ〜１．０ｍｍの範囲内の最大外径と、１ｍｍ〜１０ｍｍの範囲内の長さとを有し、ベース裏面からの突出部分の全部又は大部分を壁面(50)に差し込み、被掛け体、ベース及びフック本体の荷重を受けて壁面に伝える。【選択図】  図４
2006034599.tif 000002
【特許請求の範囲】
【請求項１】
壁面に被掛け体を掛けるのに用いられる壁掛けフックであって、
壁面と接触されるベースと、
該ベースに取付けられ、被掛け体が掛けられるフック本体と、
上記ベースの裏面に幅方向に間隔をあけかつ２０°〜４５°の範囲内の角度でもって斜め下方に指向して固定され、上記ベース裏面からの突出部分が０．３ｍｍ〜１．０ｍｍの範囲内の最大外径と、１ｍｍ〜１０ｍｍの範囲内の長さとを有し、上記ベース裏面からの突出部分の全部又は大部分が壁面に差し込まれ、上記被掛け体、ベース及びフック本体の荷重を受けて上記壁面に伝える少なくとも２本の細針と、
を備えたことを特徴とする壁掛けフック。
【請求項２】
底辺を上側にした逆二等辺三角形において上記フック本体を頂点としたときに２本の上記細針が残りの２点の位置に配置されている請求項１記載の壁掛けフック。
【請求項３】
上記細針が０．４ｍｍ〜０．７ｍｍの最大外径を有する請求項１記載の壁掛けフック。
【請求項４】
上記細針が上記ベースの裏面に対して３０°〜４５°の範囲内の角度を有する請求項１記載の壁掛けフック。
【請求項５】
上記細針の上記ベース裏面からの突出部分が１．５〜５ｍｍの範囲内の長さを有する請求項１記載の壁掛けフック。
【発明の詳細な説明】
【技術分野】
【０００１】
本発明は壁掛けフックに関し、特に目立った痕跡を残すことなく壁面に取付けることができ、しかも重いものを掛けることができるようにした壁掛けフックに関する。
【背景技術】
【０００２】
住宅の室内にはブロック製やコンクリート製の硬い壁面に代え、合板や石膏ボード製の壁面、あるいはこれらの表面に壁紙やクロスを貼りつけた軟らかい壁面が採用されることが多くなった。
【０００３】
ところで、室内の壁面には時計、絵画や額縁、鏡、さらには洋服のハンガーやカレンダー等を掛けることがよくある。例えば、時計を壁面に掛ける場合、木ねじや押しピンを用いて壁掛けフックを壁面に固定し、粘着シールで壁掛けフックを壁面に貼りつけ、あるいは壁掛けフックを磁石で壁面に磁着し、この壁掛けフックに時計を引っ掛けることが行われている（特許文献１、特許文献２）。
【特許文献１】特開２００３−１９４０３５号公報
【特許文献２】実用新案登録第３０５３７５４号公報
【発明の開示】
【発明が解決しようとする課題】
【０００４】
しかし、木ねじや押しピンを用いた壁掛けフックの場合、重いものを掛けることができるものの、壁掛けフックを外したり位置を変更したりすると、壁面に木ねじや押しピンの痕跡が目立ち、壁面の修理が必要となることがあった。
【０００５】
また、粘着シールを用いた壁掛けフックの場合、重いものを掛けると粘着が外れて落下するおそれがあるばかりでなく、粘着シールに汚れが付着し、壁面の修理が必要となることがあった。
【０００６】
さらに、磁石を用いた壁掛けフックの場合、壁面が鉄鋼等の金属材料で製作されていないと使用できなかった。
【０００７】
本発明はかかる問題点に鑑み、目立った痕跡を残すことなく壁面に取付けることができ、しかも重いものを掛けることができるようにした壁掛けフックを提供することを課題とする。
【課題を解決するための手段】
【０００８】
そこで、本発明に係る壁掛けフックは、壁面に被掛け体を掛けるのに用いられる壁掛けフックであって、壁面と接触されるベースと、該ベースに取付けられ、被掛け体が掛けられるフック本体と、上記ベースの裏面に幅方向に間隔をあけかつ２０°〜４５°の範囲内の角度でもって斜め下方に指向して固定され、上記ベース裏面からの突出部分が０．３ｍｍ〜１．０ｍｍの範囲内の最大外径と、１ｍｍ〜１０ｍｍの範囲内の長さとを有し、上記ベース裏面からの突出部分の全部又は大部分が壁面に差し込まれ、上記被掛け体、ベース及びフック本体の荷重を受けて上記壁面に伝える少なくとも２本の細針と、を備えたことを特徴とする。
【０００９】
本発明の特徴の１つは最大外径が０．３ｍｍ〜１．０ｍｍの範囲内の寸法である少なくとも２本の細針をベース裏面に幅方向に間隔をあけかつ斜め下方に指向させて取付け、少なくとも２本の細針のベース裏面からの突出部分の全部又は大部分を壁面に差し込み、被掛け体、ベース及びフック本体の荷重を受けて壁面に伝えるようにした点にある。
【００１０】
これにより、壁掛けフックを取外しあるいは位置を変更しても細針によって目立った痕跡が残ることはない。
【００１１】
また、少なくとも２本の細針を幅方向に間隔をあけ、細針のベース裏面からの突出部分の全部又は大部分を壁面に差し込み、荷重を受けて壁面に伝えるようにしているので、重いものを掛けても粘着シールを用いた壁掛けフックの場合のように落下するおそれがなく、又粘着シールのように汚れが付着し、壁面の修理が必要となることもない。
【００１２】
さらに、磁石を用いた壁掛けフックの場合のように利用できる範囲で限定されることもない。
【００１３】
少なくとも２本の細針はベースの裏面に幅方向に間隔をあけて設けるが、その間隔は細針の数に応じて適宜選択すればよい。この場合、荷重のバランスを考慮すると、底辺を上側にした逆二等辺三角形においてフック本体を頂点としたときに２本の細針が残りの２点の位置に配置されるのが好ましい。
【００１４】
また、細針は荷重を受けて壁面に確実に伝える上で、２０°〜４５°の範囲内の角度、好ましくは３０°〜４５°の範囲内の角度でもって斜め下方に指向させるのがよい。
【００１５】
また、細針のベース裏面からの突出部分の最大外径は壁面に目立った痕跡が残らないように０．３ｍｍ〜１．０ｍｍの範囲内の寸法、好ましくは０．４ｍｍ〜０．７ｍｍの範囲内の寸法とするのがよい。
【００１６】
さらに、細針のベース裏面からの突出部分の長さは荷重を受けて壁面に確実に伝える上で、１ｍｍ〜１０ｍｍの範囲内の寸法、好ましくは１．５ｍｍ〜５ｍｍの範囲内の寸法とするのがよい。
【００１７】
ベースの材質、フック本体及び細針の材質は特に限定されず、例えばベースは金属材料やプラスチック材料を用いて製作されることができる。また、フック本体は被掛け体の荷重を受けて変形しないだけの強度が必要であるので、金属材料、硬質プラスチック、セラミック材料等で製作されることができる。さらに、細針は被掛け体、ベース及びフック本体の重さを壁面に伝えるだけの強度を必要とするので、金属材料やセラミック材料等で製作されることができる。
【発明を実施するための最良の形態】
【００１８】
以下、本発明を図面に示す具体例に基づいて詳細に説明する。図１ないし図４は本発明に係る壁掛けフックの好ましい実施形態を示す。図において、壁掛けフック１０はベース２０、フック本体３０及び細針４０から構成されている。
【００１９】
ベース２０はプラスチック材料を用いてプレート状に製作され、ベース２０の下端部にはフック本体３０の上端部が埋め込まれて固定されている。このフック本体３０は金属材料を用いてほぼＬ字状に製作されている。
【００２０】
また、ベース２０の裏面には上側２本、下側２本の細針４０が幅方向に間隔をあけかつ２０°〜４５°の範囲内の角度、好ましくは３０°〜４５°の範囲内の角度，例えば４０°の角度θでもって斜め下方に指向して固定されている。
【００２１】
この上側２本、下側２本の細針４０は底辺を上側にした逆二等辺三角形Ｓ１、Ｓ２においてフック本体３０の下端部分、例えば壁面５０と接する部分を頂点としたときに逆二等辺三角形Ｓ１、Ｓ２の残りの２点の位置に配置されている。
【００２２】
この細針４０のベース２０の裏面からの突出部分は０．３ｍｍ〜１．０ｍｍの範囲内の最大外径、好ましくは０．４ｍｍ〜０．７ｍｍの範囲内の最大外径、例えば０．５ｍｍの最大外径を有している。
【００２３】
また、細針４０のベース２０の裏面からの突出部分は１ｍｍ〜１０ｍｍの範囲内の長さ、好ましくは１．５〜５ｍｍの範囲内の長さ、例えば４ｍｍの長さＬを有している。
【００２４】
さらに、細針４０のベース２０の裏面からの突出部分はその全部又は大部分が壁面５０に差し込まれ、被掛け体、ベース２０及びフック本体３０の荷重を受けて壁面５０に伝えるようになっている。
【００２５】
例えば、石膏ボード５１にクロス５２を貼った壁面５０に時計を掛ける場合、壁面５０の時計を掛ける位置に本例の壁掛けフック１０の裏面を当て、その状態で下方に引っ張る。
【００２６】
すると、ベース２０の裏面の細針４０が斜め下方を指向しているので、細針４０のベース２０の裏面から突出している部分の全部（又は大部分）が壁面５０に差し込まれ、図４に示されるように壁掛けフック１０は壁面５０に取付けられるので、壁掛けフック１０のフック本体３０に時計を掛ければよい。
【００２７】
このように、上側２本、下側２本の細針４０を幅方向に間隔をあけ、細針４０のベース２０裏面からの突出部分の全部（又は大部分）を壁面５０に差し込むようにしているので、重い時計を壁掛けフック１０に掛けても時計及び壁掛けフック１０の荷重は４本の細針４０から壁面５０に均等に分散して伝えられ、時計が落下することはない。
【００２８】
なお、図４に示されるように、ベース２０に設けた小さな貫通孔２１から壁面５０に斜め上方に細針４１を差し込むと、壁掛けフック１０の上方に向かう動きが規制されるので、壁面フック１０は細針４０、４１がベース２０から抜けない限り壁面５０から外れることができず、壁掛けフック１０をより確実に壁面５０に固定することができる。
【００２９】
また、壁掛けフック１０を壁面５０から外しても、細針４０の最大外径が０．３ｍｍ〜１．０ｍｍの範囲内の寸法、例えば０．５ｍｍの寸法であるので、壁面５０に目立った痕跡が残ることはない。
【００３０】
図５の(a)〜(k)は他の実施形態を示し、これらは細針４０が３本、４本、５本、６本の場合の細針４０のベース２０裏面への配置の例を示す。
【００３１】
図６はさらに他の実施形態を示し、本例では細針４０のベース２０側の部分を湾曲させており、このようにすると壁掛けフック１０の上方への抜けを防止して壁掛けフック１０を確実に壁面５０に固定できる。
【図面の簡単な説明】
【００３２】
【図１】本発明に係る壁掛けフックの好ましい実施形態を示す正面からの斜視図である。
【図２】上記実施形態における背面図である。
【図３】上記実施形態の要部を示す図である。
【図４】上記実施形態の作用を説明するための図である。
【図５】他の実施形態における細針の配置例を示す図である。
【図６】さらに他の実施形態を示す図である。
【符号の説明】
【００３３】
１０    壁掛けフック
２０    ベース
３０    フック本体
４０    細針
５０    壁面
【図１】
2006034599.tif 000003
【図２】
2006034599.tif 000004
【図３】
2006034599.tif 000005
【図４】
2006034599.tif 000006
【図５】
2006034599.tif 000007
【図６】
2006034599.tif 000008